(57)【要約】【課題】防犯機能を向上させることが可能なインターホンシステムおよび玄関機を提供する。【解決手段】呼出の操作を行うための玄関子機２０と、玄関子機２０と通信可能に構成される居室親機とを備え、玄関子機２０は、画像が表示される玄関表示部２０７と、訪問者を検知することが可能な人感センサ２０１とを有し、居室親機は、人感センサ２０１が訪問者を検知したとき、玄関子機２０の玄関表示部２０７に、検知された訪問者に向けた目線を有する目を模した目画像を表示させる居室親機ＣＰＵを有する。【選択図】図３
2017108343.tif 000002
【特許請求の範囲】
【請求項１】
呼出の操作を行うための玄関機と、
前記玄関機と通信可能に構成される居室親機と、
を備え、
前記玄関機は、
画像が表示される表示部と、
人を検知することが可能な検知部と、
を有し、
前記居室親機は、
前記検知部が人を検知したとき、前記玄関機の前記表示部に、検知された人に向けた目線を有する目を模した目画像を表示させる表示制御部を有する、
インターホンシステム。
【請求項２】
前記検知部は、カメラであり、
前記表示制御部は、前記カメラの画像を画像処理することで得られる人の動きに応じて、前記目画像の目線を変化させる、
請求項１に記載のインターホンシステム。
【請求項３】
前記表示制御部は、前記居室親機に対して操作されるパンチルト操作に応じて、前記目画像の目線を変化させる、
請求項１に記載のインターホンシステム。
【請求項４】
前記玄関機は、前記居室親機を呼び出すための呼出部を有し、
前記表示制御部は、前記検知部が人を検知してから所定時間、前記呼出部が操作されなかった場合、前記目画像を警戒心の高い目画像に変化させる、
請求項１から請求項３のいずれか一項に記載のインターホンシステム。
【請求項５】
前記玄関機は、前記居室親機を呼び出すための呼出部を有し、
前記表示制御部は、前記検知部が人を検知してからの経過時間に応じて、前記目画像を警戒心の高い目画像に変化させる、
請求項１から請求項３のいずれか一項に記載のインターホンシステム。
【請求項６】
前記表示制御部は、前記表示部に、前記目画像に加えて所定のメッセージを表示させる、
請求項１から請求項５のいずれか一項に記載のインターホンシステム。
【請求項７】
前記表示制御部は、前記検知部が人を検知したとき、前記表示部に、前記目画像を含む顔画像を表示させる、
請求項１から請求項６のいずれか一項に記載のインターホンシステム。
【請求項８】
画像が表示される表示部と、
人を検知することが可能な検知部と、
前記表示部に表示される画像を制御する表示制御部と、
を備え、
前記表示制御部は、前記検知部が人を検知したとき、前記表示部に、検知された人に向けた目線を有する目を模した目画像を表示させる、
玄関機。
【発明の詳細な説明】
【技術分野】
【０００１】
本発明は、一戸建て住宅や集合住宅で用いられるインターホンシステムに関するものである。
【背景技術】
【０００２】
従来、防犯機能を向上させるために、テレビカメラが設けられた玄関子機を有するインターホンシステムがある（特許文献１参照）。このインターホンシステムによれば、居住者は、居室親機の表示部を介して、訪問者を確認することができる。
【先行技術文献】
【特許文献】
【０００３】
【特許文献１】特開２０００−３０７７４０号公報
【発明の概要】
【発明が解決しようとする課題】
【０００４】
しかしながら、従来のインターホンシステムは、不審な訪問者に対して積極的に警戒の心理を与える工夫が不十分であり、防犯機能を向上させる余地があった。
【０００５】
そこで、本発明は、防犯機能を向上させることが可能なインターホンシステムおよび玄関機を提供することを目的とする。
【課題を解決するための手段】
【０００６】
上記目的を達成するために、本発明のインターホンシステムは、
呼出の操作を行うための玄関機と、
前記玄関機と通信可能に構成される居室親機と、
を備え、
前記玄関機は、
画像が表示される表示部と、
人を検知することが可能な検知部と、
を有し、
前記居室親機は、
前記検知部が人を検知したとき、前記玄関機の前記表示部に、検知された人に向けた目線を有する目を模した目画像を表示させる表示制御部を有する。
【０００７】
この構成によれば、目を模した目画像により、不審な訪問者に対して、他者から見られている意識（警戒の心理）を与えることができ、防犯機能を向上させることができる。
【０００８】
また、本発明のインターホンシステムにおいて、
前記検知部は、カメラであり、
前記表示制御部は、前記カメラの画像を画像処理することで得られる人の動きに応じて、前記目画像の目線を変化させても良い。
【０００９】
この構成によれば、不審者に対して、他者から見られている意識（警戒の心理）を更に高く与えることができる。
【００１０】
また、本発明のインターホンシステムにおいて、
前記表示制御部は、前記居室親機に対して操作されるパンチルト操作に応じて、前記目画像の目線を変化させても良い。
【００１１】
この構成によれば、不審者に対して、他者から見られている意識（警戒の心理）を更に高く与えることができる。
【００１２】
また、本発明のインターホンシステムにおいて、
前記玄関機は、前記居室親機を呼び出すための呼出部を有し、
前記表示制御部は、前記検知部が人を検知してから所定時間、前記呼出部が操作されなかった場合、前記目画像を警戒心の高い目画像に変化させても良い。
【００１３】
この構成によれば、玄関機の周辺で待機する不審者に対して、他者から見られている意識（警戒の心理）を更に高く与えることができる。
【００１４】
また、本発明のインターホンシステムにおいて、
前記玄関機は、前記居室親機を呼び出すための呼出部を有し、
前記表示制御部は、前記検知部が人を検知してからの経過時間に応じて、前記目画像を警戒心の高い目画像に変化させても良い。
【００１５】
この構成によれば、玄関機の周辺で待機する不審者に対して、他者から見られている意識（警戒の心理）を更に高く与えることができる。
【００１６】
また、本発明のインターホンシステムにおいて、
前記表示制御部は、前記表示部に、前記目画像に加えて所定のメッセージを表示させても良い。
【００１７】
この構成によれば、表示部に、不審者が警戒心を高めるようなメッセージを表示させることができる。
【００１８】
また、本発明のインターホンシステムにおいて、
前記表示制御部は、前記検知部が人を検知したとき、前記表示部に、前記目画像を含む顔画像を表示させても良い。
【００１９】
この構成によれば、目線だけでなく顔の表情も含めて、不審者に対して、他者から見られている意識（警戒の心理）を更に高く与えることができる。
【００２０】
また、本発明の玄関機は、
画像が表示される表示部と、
人を検知することが可能な検知部と、
前記表示部に表示される画像を制御する表示制御部と、
を備え、
前記表示制御部は、前記検知部が人を検知したとき、前記表示部に、検知された人に向けた目線を有する目を模した目画像を表示させる。
【００２１】
この構成によれば、目を模した目画像により、不審な訪問者に対して、他者から見られている意識（警戒の心理）を与えることができ、防犯機能を向上させることができる。
【発明の効果】
【００２２】
本発明のインターホンシステムおよび玄関機によれば、防犯機能を向上させることができる。
【図面の簡単な説明】
【００２３】
【図１】本発明の実施形態に係るインターホンシステムの概略構成図である。
【図２】インターホンシステムの機能ブロック図である。
【図３】玄関子機に表示される画像の一例を示す図である。
【図４】玄関子機に表示される画像の変化を示す図である。
【図５】玄関子機に表示される画像の別の例を示す図である。
【図６】玄関子機に表示される画像の別の例を示す図である。
【図７】玄関機の変形例を示す図である。
【図８】玄関機の変形例を示す図である。
【図９】図８に示す玄関機の機能ブロック図である。
【発明を実施するための形態】
【００２４】
以下、本実施形態の一例について、図面を参照して説明する。
図１に示すように、インターホンシステム１は、玄関子機（玄関機の一例）２０と、居室親機３０とを備えている。インターホンシステム１は、一戸建て住宅やマンション等の集合住宅における各住戸などに設置される。図１は、一戸建て住宅Ｊに設置されたインターホンシステム１を示している。
【００２５】
玄関子機２０は、各住宅の玄関に設置されて、居住者を呼び出して通話するために用いられる。居室親機３０は、各住宅の居室内に設置されて、玄関子機２０からの呼び出しに対して応答するために用いられる。玄関子機２０と居室親機３０とは信号線Ｌを介して通信可能に構成されている。
【００２６】
図２，図３に示すように、玄関子機２０は、人感センサ（検知部の一例）２０１と、カメラ（検知部の一例）２０２と、呼出ボタン２０３と、玄関マイク２０４と、玄関スピーカ２０５と、ライト２０６と、玄関表示部２０７と、映像処理部２０８と、画像処理部２０９と、玄関子機ＣＰＵ２１０と、玄関子機インターフェース２１１（以下、Ｉ／Ｆと称する）とを備えている。
【００２７】
人感センサ２０１は、玄関子機２０の前方にいる人物を検知するためのセンサであり、例えば赤外線センサで構成されている。人感センサ２０１は、カメラ２０２に接続されており、人物を検知したことを知らせる検出信号をカメラ２０２へ出力する。カメラ２０２は、訪問者等の人物を撮像するためのカメラである。例えば、カメラ２０２は、人感センサ２０１から出力される検出信号に基づいて起動する。カメラ２０２が撮像した映像は、映像処理部２０８へ出力される。映像処理部２０８は、カメラ２０２で撮像した映像を処理して居室親機３０へ送信する。
【００２８】
呼出ボタン２０３は、訪問者が居住者を呼び出すために押下するボタンである。玄関マイク２０４及び玄関スピーカ２０５は、居住者と通話するための通話部を構成する。ライト２０６は、玄関子機２０の前方周辺を照射するための光源であり、例えば発光ダイオードで構成されている。
【００２９】
玄関表示部２０７は、居室親機３０から送信されてくる画像を絵柄（本例では目を模した「目画像」）、メッセージ等として表示する。玄関表示部２０７は、例えば液晶、有機ＥＬ（エレクトロルミネッセンス）等で構成されている。画像処理部２０９は、居室親機３０から送信されてきた画像を玄関表示部２０７に表示するための処理を行う。玄関子機ＣＰＵ２１０は、玄関子機２０を構成する各部の動作を制御する。玄関子機Ｉ／Ｆ２１１は、玄関子機ＣＰＵ２１０と信号線Ｌ間における双方向の信号伝送路を形成する。
【００３０】
図２に示すように、居室親機３０は、映像処理部３０１と、親機表示部３０２と、画像記憶部３０３と、操作部３０４と、親機マイク３０５と、親機スピーカ３０６と、居室親機ＣＰＵ３１０（表示制御部の一例）と、居室親機Ｉ／Ｆ３１１とを備えている。
【００３１】
映像処理部３０１は、玄関子機２０から送られてくるカメラ２０２の映像を親機表示部３０２に表示するための処理を行う。また、映像処理部３０１は、カメラ２０２の映像を解析処理することにより、撮像されている人物を検知するとともにその人物の動きを認識する。さらに、映像処理部３０１は、カメラ２０２の映像に撮像されている人物の顔認識を行い、顔画像データベースの顔データと照合することで人物の識別を行っても良い。親機表示部３０２は、映像処理部３０１で処理されたカメラ２０２の映像を表示する。親機表示部３０２は、例えば液晶、有機ＥＬ等で構成されている。
【００３２】
画像記憶部３０３は、玄関子機２０の玄関表示部２０７に表示される目画像や、メッセージ等を記憶している。「目画像」には、人の目を模した画像のほかに、動物、キャラクター等の目を模した画像も含まれる。また、「目画像」には、目の形、目の大きさ、目の向き等を相違させることにより目画像の印象（例えば目画像から感じる警戒心の高低）が異なる複数種類の画像が含まれる。画像記憶部３０３は、人物の識別を行うための顔画像データベースを保有している。さらに、画像記憶部３０３は、カメラ２０２で撮像される映像を例えば所定期間記憶している。
【００３３】
操作部３０４は、訪問者の呼び出しに応答するための応答操作や、玄関子機２０の玄関表示部２０７を起動させるための起動操作や、カメラ２０２の映像の一部を拡大表示するための電子パンチルト操作等を行う部分である。操作部３０４は、例えば押しボタン、あるいは親機表示部３０２上のタッチパネル等で構成されている。親機マイク３０５及び親機スピーカ３０６は、居住者が訪問者と通話するための通話部を構成する。居室親機ＣＰＵ３１０は、居室親機３０を構成する各部の動作を制御する。居室親機Ｉ／Ｆ３１１は、居室親機ＣＰＵ３１０と信号線Ｌ間における双方向の信号伝送路を形成する。
【００３４】
次に、図３〜図６を参照して、インターホンシステム１の動作を説明する。
玄関子機２０における玄関表示部２０７は、居室親機３０の操作部３０４に設けられた例えば「防犯ボタン」を押下することで起動するように構成されている。防犯ボタンを押下すると、玄関表示部２０７には目を閉じた状態の目画像が表示されて待機状態となる（図３，図４（ａ）参照）。なお、玄関表示部２０７は、目画像が表示されないブラックアウトの画面を待機状態としても良い。
【００３５】
訪問者が住宅Ｊの玄関に近づくと、玄関子機２０の人感センサ２０１がその訪問者を検知して検出信号を出力する。カメラ２０２は、人感センサ２０１から出力された検出信号に基づいて起動して、訪問者を撮像する。撮像された訪問者の映像は、玄関子機ＣＰＵ２１０の制御信号に基づいて映像処理部２０８から信号線Ｌを介して居室親機３０へ送信される。
【００３６】
居室親機３０の映像処理部３０１は、受信した訪問者の映像を親機表示部３０２に表示する処理を行うとともに、映像を解析して撮像されている訪問者が居る位置を認識する処理を行う。居室親機ＣＰＵ３１０は、映像処理部３０１の解析結果に基づいて、訪問者が居る位置に向けた目線を有する目画像を画像記憶部３０３に記憶された複数の目画像の中から選択する。居室親機ＣＰＵ３１０は、選択した目画像を玄関子機２０の玄関表示部２０７に表示させるために、信号線Ｌを介して、選択した目画像を玄関子機２０へ送信する。
【００３７】
玄関子機２０の画像処理部２０９は、居室親機３０から送信されてきた目画像を玄関表示部２０７に表示するための処理を行う。玄関機ＣＰＵ２１０は、居室親機３０から送信されてきた目画像を玄関表示部２０７に表示するための制御信号を出力する。玄関表示部２０７は、玄関機ＣＰＵ２１０から出力された制御信号に基づいて、画像処理部２０９で処理された目画像を表示する（図４（ｂ）参照）。図４（ｂ）の目画像は、玄関子機２０の正面に居ると認識された訪問者に対して目線を向けている目画像を表している。
【００３８】
居室親機３０の映像処理部３０１における上記解析処理は継続して行われる。これにより、各解析時におけて訪問者が居る位置、すなわち玄関子機２０周辺における訪問者の動きが認識される。居室親機ＣＰＵ３１０は、映像処理部３０１の解析結果に基づいて訪問者の居る位置に対応した目線を有する目画像を画像記憶部３０３から順次選択する。
【００３９】
玄関子機２０には、画像記憶部３０３から選択された目画像が、居室親機３０から順次送信される。これにより、玄関表示部２０７には、訪問者の居る位置（訪問者の動き）を追従する目線の目画像が順次表示される（図４（ｃ），（ｄ）参照）。図４（ｃ）の目画像は、玄関子機２０の右側に居ると認識された訪問者に対して目線を向けている目画像を表している。図４（ｄ）の目画像は、玄関子機２０の左側に居ると認識された訪問者に対して目線を向けている目画像を表している。
【００４０】
例えば、玄関子機２０の正面に居た訪問者が玄関子機２０の右側へ移動した場合、玄関表示部２０７の目画像は、訪問者を追従して、正面に目線を向けた目画像（図４（ｂ）参照）から右側に目線を向けた目画像（図４（ｃ）参照）へと変化する。さらに、訪問者が玄関子機２０の左側へ移動した場合、玄関表示部２０７の目画像は、訪問者を追従して、左側に目線を向けた目画像（図４（ｄ）参照）へと変化する。
【００４１】
居室親機ＣＰＵ３１０は、人感センサ２０１が訪問者を検知してからの経過時間をタイマーで計測する。居室親機ＣＰＵ３１０は、訪問者を検知してから所定時間が経過し、かつ、玄関子機２０の呼出ボタン２０３がその所定時間の間、操作されなかった場合、警戒心の高い目つきの目画像を画像記憶部３０３から選択して玄関表示部２０７に表示させても良い。
【００４２】
例えば訪問者を検知してから呼出ボタン２０３が操作されないまま１０秒が経過した場合、居室親機ＣＰＵ３１０は、それまで玄関表示部２０７に表示していた図４（ｂ）〜（ｄ）に示すような大きく見開いていた目画像を、図５に示すような目を細めて訪問者を見る目画像（高い警戒心を与える目画像の一例）に変化させても良い。また、検知してから２０秒が経過した場合、図６に示すようにさらに目を細めて訪問者をにらむ目画像（さらに高い警戒心を与える目画像の一例）に変化させても良い。このような場合、玄関表示部２０７には、目画像と共に、例えば図６に示すようなメッセージ「録画しています。」２２１を表示しても良い。
【００４３】
また、居室親機３０の操作部３０４に設けられた所定のボタンを居住者が操作することで、上記表情の異なる目画像やメッセージを表示できるようにしても良い。
【００４４】
また、玄関表示部２０７には、訪問者に応じて相違する種類の目画像が表示されても良い。
居室親機３０の映像処理部３０１は、カメラ２０２の映像に撮像されている訪問者の顔認識を行って訪問者の識別を行う。居室親機ＣＰＵ３１０は、映像処理部３０１の識別結果に応じて、玄関表示部２０７に表示する目画像の種類を変化させる。
【００４５】
例えば、訪問者が知人であると識別した場合、居室親機ＣＰＵ３１０は、訪問者（知人）の居る場所（動き）や、検知してからの経過時間にかかわらず、目の表情を変化させないで、図４（ｂ）に示す警戒心の低い目画像を継続して玄関表示部２０７に表示させたり、警戒をしていない旨を示す目画像を表示させても良い。
【００４６】
また、玄関表示部２０７に表示される目画像は、居室親機３０の操作部３０４に対して操作される電子パンチルト操作に応じて変化するように構成されても良い。
【００４７】
住宅Ｊの居住者が、親機表示部３０２に表示された訪問者の映像を確認しながら操作部３０４を介してパンチルト操作を行うと、操作情報を含んだ制御信号が居室親機ＣＰＵ３１０から出力される。また、パンチルト操作に対応する目線を有した目画像が画像記憶部３０３から居室親機ＣＰＵ３１０によって選択される。この制御信号と目画像とは、信号線Ｌを介して玄関子機２０へ送信される。また、玄関子機ＣＰＵ２１０は、目画像を玄関表示部２０７に表示するための制御信号を出力する。玄関表示部２０７は、玄関機ＣＰＵ２１０から出力された制御信号に基づいて、パンチルト操作に対応する目線を有した目画像を表示する。
【００４８】
このような構成のインターホンシステム１によれば、玄関子機２０の玄関表示部２０７に例えば人の目を模した目画像が表示され、訪問者の動きを追従するように目画像の目線が変化するので、不審な訪問者に対して、他者から見られている意識（警戒の心理）を与えることができ、防犯機能を向上させることができる。
【００４９】
また、不審な訪問者を検知してからの経過時間に応じて目画像の表情を変化させることができるので、例えば呼出ボタン２０３を押さずに玄関機の周辺で待機する不審な訪問者、呼出ボタン２０３の押下に対する居住者の反応（留守か否か）をうかがう不審な訪問者などに対して、他者から見られている意識を更に高く与えることができる。
【００５０】
また、不審な訪問者が警戒心を高めるようなメッセージを目画像と共に玄関表示部２０７に表示させることができるので、不審な訪問者に対して、他者から見られている意識を更に高く与えることができる。
【００５１】
また、顔認識を行うことで居住者の知人などに対しては目画像の変化を止める等して警戒心を与えることを抑制することができる。このため、不審な訪問者に対してだけ他者から見られている意識を与えることができる。
【００５２】
（変形例１）
上述した形態における玄関子機２０の変形例１について図７を参照して説明する。
変形例１に係る玄関子機２０Ａは、人感センサ２０１が訪問者を検知した場合、玄関表示部２０７Ａに目画像を含む顔画像２３１を表示する。
【００５３】
玄関子機２０Ａは、玄関子機２０Ａの表面積に対する玄関表示部２０７Ａの面積の割合が、上記玄関子機２０における玄関表示部２０７の面積の割合よりも大きく形成されている。玄関表示部２０７Ａは、タッチパネル式の液晶、有機ＥＬ等で構成されており、目画像と共に口や鼻の画像を有する顔画像２３１が表示される。また、玄関表示部２０７Ａには、例えば呼出ボタン２０３Ａも表示される。
【００５４】
顔画像２３１における目画像の表示内容（動きや表情等）は、上記玄関子機２０における目画像の表示内容と同様である。なお、目画像の変化に対応させて顔画像２３１における口および鼻の表情を変化させるようにしても良い。
【００５５】
上記構成によれば、玄関表示部２０７Ａに目だけでなく口や鼻等も含めた例えば人間の顔画像２３１を表示することができるので、訪問者に対して、目線だけでなく顔の表情も含めて、他者から見られている意識を更に高く与えることができる。
【００５６】
（変形例２）
次に、玄関子機２０の変形例２について図８，図９を参照して説明する。
変形例２に係る集合玄関機（玄関機の一例）２０Ｂは、集合住宅の共用玄関に設置される。
【００５７】
集合玄関機２０Ｂは、訪問者が訪問先の部屋番号を入力するための例えばテンキーからなる操作ボタン２４１を有している。また、集合玄関機２０Ｂは、上記居室親機３０に設けられていた画像記憶部３０３（図２参照）と同様の情報を記憶する画像記憶部２４２を有している。また、集合玄関機２０Ｂは、上記居室親機３０に設けられていた映像処理部３０１（図２参照）と同様の処理を行う映像処理部２４３を有している。集合玄関機２０Ｂは、信号線Ｌ２を介して、インターホンシステムの各部を制御する制御機と接続されている。
【００５８】
集合玄関機２０Ｂは、集合玄関機ＣＰＵ（表示制御部の一例）２５０により、訪問者に向けた目線を有する目画像等を玄関表示部２０７に表示させる制御を行う。
【００５９】
上記構成によれば、上記形態と同様に、玄関表示部２０７に表示される目画像により、不審な訪問者に対して、他者から見られている意識（警戒の心理）を与えることができ、防犯機能を向上させることができる。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
上記形態では訪問者の位置を認識するためにカメラ２０２の映像を解析しているが、例えば玄関機２０，２０Ａ，２０Ｂに複数の人感センサを設置して訪問者の動きを感知するとともに位置を認識するようにしても良い。この構成によれば、カメラ２０２を搭載しなくても玄関表示部２０７に目画像を表示することができ、不審な訪問者に対して、他者から見られているという警戒の心理を与えることができる。
【符号の説明】
【００６２】
１：インターホンシステム、２０：玄関子機（玄関機の一例）、３０：居室親機、２０１：人感センサ（検知部の一例）、２０２：カメラ（検知部の一例）、２０３：呼出ボタン、２０７：玄関表示部、２０８：映像処理部、２０９：画像処理部、２１０：玄関子機ＣＰＵ、２２１：メッセージ、２３１：顔画像、２４２：画像記憶部、２４３：映像処理部、３０１：映像処理部３０１、３０２：親機表示部、３０３：画像記憶部、３１０：居室親機ＣＰＵ
【図１】
2017108343.tif 000003
【図２】
2017108343.tif 000004
【図３】
2017108343.tif 000005
【図４】
2017108343.tif 000006
【図５】
2017108343.tif 000007
【図６】
2017108343.tif 000008
【図７】
2017108343.tif 000009
【図８】
2017108343.tif 000010
【図９】
2017108343.tif 000011